(57)【要約】【課題】スキミング用磁気ヘッドによる磁気データの有意な読取りを阻止することが可能で、かつ、複数のローラ対がベルトおよびプーリ等の動力伝達機構を介して連結されていても、ローラ対の振動に起因する磁気データの読取り精度や書込み精度の低下を防止することが可能なカードリーダを提供する。【解決手段】カードリーダ１のカード搬送機構９は、カードを挟んで搬送する複数のローラ対を備え、複数のローラ対のうちの、カード挿入口から挿入されたカードが最初に接触するローラ対１１は、カードの一方の面に接触する第１ローラ２１と、カードの他方の面に接触する第２ローラ２２とを備えている。第１ローラ２１には、その径方向の外側へ突出する複数の突出部２１ａが形成されている。また、第２ローラ２２のカードに接触する部分であるカード接触部２２ａと突出部２１ａとは、カードの幅方向において互いにずれた位置に配置されている。【選択図】図２
2014191747.tif 000002
【特許請求の範囲】
【請求項１】
磁気データが記録されたカードが挿入されるカード挿入口と、前記カード挿入口から挿入された前記カードを搬送するカード搬送機構とを備え、
前記カード搬送機構は、前記カードの厚さ方向で前記カードを挟んで搬送する複数のローラ対を備え、
複数の前記ローラ対のうちの、前記カード挿入口から挿入された前記カードが最初に接触する前記ローラ対である第１ローラ対は、前記カードの厚さ方向における前記カードの一方の面に接触する第１ローラと、前記カードの厚さ方向における前記カードの他方の面に接触する第２ローラとを備え、
前記第１ローラには、その径方向の外側へ突出する複数の突出部が形成され、
前記第２ローラの、前記カードに接触する部分であるカード接触部と、前記突出部とは、前記カードの搬送方向と前記カードの厚さ方向とに直交する前記カードの幅方向において互いにずれた位置に配置されていることを特徴とするカードリーダ。
【請求項２】
前記第１ローラ対は、２個の前記第２ローラを備え、
前記第２ローラは、その外周面の径が一定になっている平ローラであり、
前記カードの幅方向において、前記第１ローラの両側に前記第２ローラが配置されていることを特徴とする請求項１記載のカードリーダ。
【請求項３】
前記第２ローラには、その径方向の内側に窪む円環状の凹部が形成されるとともに、前記凹部の両側に２個の前記カード接触部が形成され、
前記カードの幅方向において、前記第１ローラと略一致するように前記凹部が配置され、前記第１ローラの両側に前記カード接触部が配置されていることを特徴とする請求項１記載のカードリーダ。
【請求項４】
前記カードの磁気ストライプに記録された磁気データの読取りと前記磁気ストライプへの磁気データの書込みとの少なくともいずれか一方を行う磁気ヘッドを備え、
前記カードの搬送方向における前記第１ローラ対と前記磁気ヘッドとの距離は、前記カード挿入口から挿入される前記カードの挿入方向における前記磁気ストライプの前端と前記カードの挿入方向における前記カードの後端との距離よりも長くなっていることを特徴とする請求項１から３のいずれかに記載のカードリーダ。
【請求項５】
前記第１ローラに前記突出部が形成されていることを検出するための検出機構を備えることを特徴とする請求項１から４のいずれかに記載のカードリーダ。
【請求項６】
前記検出機構は、前記カードの幅方向で前記突出部を挟むように配置される発光素子と受光素子とを有する光学式のセンサであることを特徴とする請求項５記載のカードリーダ。
【発明の詳細な説明】
【技術分野】
【０００１】
本発明は、カードに記録された磁気データの読取りやカードへの磁気データの書込みを行うためのカードリーダに関する。
【背景技術】
【０００２】
従来、カードに記録された磁気データの読取りやカードへの磁気データの書込みを行うカードリーダが広く利用されている。カードリーダが利用される金融機関等の業界では、従来、犯罪者がカードリーダのカード挿入部に磁気ヘッドを取り付けて、この磁気ヘッドでカードの磁気データを不正に取得するいわゆるスキミングが大きな問題となっている。そこで、スキミング用の磁気ヘッド（以下、「スキミング用磁気ヘッド」とする。）による磁気データの有意な読取りを阻止するための構成を備えるカードリーダが提案されている（たとえば、特許文献１参照）。
【０００３】
特許文献１に記載のカードリーダは、カードを搬送するための第１ローラユニット、第２ローラユニットおよび第３ローラユニットを備えている。第１ローラユニット、第２ローラユニットおよび第３ローラユニットは、カード挿入口からカードリーダの奥側に向かってこの順番に配置されている。第２ローラユニットと第３ローラユニットとの間には、磁気ヘッドが配置されている。第１〜第３ローラユニットは、駆動ローラと従動ローラとを備えている。第１ローラユニットの駆動ローラと第２ローラユニットの駆動ローラとはベルトおよびプーリを介して連結され、第２ローラユニットの駆動ローラと第３ローラユニットの駆動ローラとはベルトおよびプーリを介して連結されている。第１ローラユニットの駆動ローラには、ベルトおよびプーリを介して駆動用のモータが連結されている。
【０００４】
特許文献１に記載のカードリーダでは、カード挿入口から挿入されたカードは、第１ローラユニットに最初に接触する。第１ローラユニットは、駆動ローラとして、外周面に凹凸が形成される突出ローラを備えるとともに、従動ローラとして、突出ローラに対向配置される平ローラとを備えている。突出ローラは、カード搬送路で搬送されるカードの上面に接触し、平ローラは、カードの下面に接触する。このカードリーダでは、第１ローラユニットによって搬送されるカードの搬送速度が、突出ローラの外周面の凹凸に応じて変動するため、スキミング用磁気ヘッドによる磁気データの有意な読取りを阻止することが可能になる。
【先行技術文献】
【特許文献】
【０００５】
【特許文献１】特開２０１０−４９４０１号公報
【発明の概要】
【発明が解決しようとする課題】
【０００６】
特許文献１に記載のカードリーダでは、突出ローラと平ローラとが対向配置されており、突出ローラと平ローラとの間にカードが挟まれていない状態でも、突出ローラと平ローラとが接触している。そのため、このカードリーダでは、駆動用のモータが回転している間は常時、突出ローラで振動が発生する。また、このカードリーダでは、第１ローラユニットの駆動ローラである突出ローラと第２ローラユニットの駆動ローラとがベルトおよびプーリを介して連結され、第２ローラユニットの駆動ローラと第３ローラユニットの駆動ローラとがベルトおよびプーリを介して連結されているため、突出ローラで発生した振動は、ベルトおよびプーリを介して、第２ローラユニットの駆動ローラおよび第３ローラユニットの駆動ローラに伝達される。したがって、このカードリーダでは、第２ローラユニットによってカードを搬送しながら、あるいは、第２ローラユニットと第３ローラユニットとによってカードを搬送しながら磁気ヘッドで磁気データを読み取る際に、ベルトおよびプーリを介して第２ローラユニットの駆動ローラおよび第３ローラユニットの駆動ローラに伝達される振動の影響で磁気データの読取り精度が低下するおそれがある。
【０００７】
そこで、本発明の課題は、スキミング用磁気ヘッドによる磁気データの有意な読取りを阻止することが可能で、かつ、カードを挟んで搬送する複数のローラ対がベルトおよびプーリ等の動力伝達機構を介して連結されていても、ローラ対の振動に起因する磁気データの読取り精度や書込み精度の低下を防止することが可能なカードリーダを提供することにある。
【課題を解決するための手段】
【０００８】
上記の課題を解決するため、本発明のカードリーダは、磁気データが記録されたカードが挿入されるカード挿入口と、カード挿入口から挿入されたカードを搬送するカード搬送機構とを備え、カード搬送機構は、カードの厚さ方向でカードを挟んで搬送する複数のローラ対を備え、複数のローラ対のうちの、カード挿入口から挿入されたカードが最初に接触するローラ対である第１ローラ対は、カードの厚さ方向におけるカードの一方の面に接触する第１ローラと、カードの厚さ方向におけるカードの他方の面に接触する第２ローラとを備え、第１ローラには、その径方向の外側へ突出する複数の突出部が形成され、第２ローラの、カードに接触する部分であるカード接触部と、突出部とは、カードの搬送方向とカードの厚さ方向とに直交するカードの幅方向において互いにずれた位置に配置されていることを特徴とする。
【０００９】
本発明のカードリーダでは、カード挿入口から挿入されたカードが最初に接触する第１ローラ対は、複数の突出部が形成されカードの厚さ方向におけるカードの一方の面に接触する第１ローラを備えている。そのため、本発明では、カード挿入口から挿入され第１ローラ対によって搬送されるカードの搬送速度が第１ローラの突出部の影響で変動する。また、カード挿入口から挿入され第１ローラ対によって搬送されるカードは、第１ローラの突出部の影響で振動する。したがって、本発明では、カード挿入口の前方等に設置されるスキミング用磁気ヘッドによる磁気データの有意な読取りを阻止することが可能になる。
【００１０】
また、本発明では、第２ローラの、カードに接触する部分であるカード接触部と、突出部とが、カードの幅方向において互いにずれた位置に配置されているため、第１ローラと第２ローラとの間にカードが挟まれていないときには、第２ローラのカード接触部と第１ローラの突出部とが接触せず、第１ローラおよび第２ローラに振動が生じない。したがって、本発明では、複数のローラ対がベルトおよびプーリ等の動力伝達機構を介して連結されていても、第１ローラ対よりも奥側に配置される磁気ヘッドによって磁気データを読み取る際や書き込む際に、第１ローラと第２ローラとの間からカードが外れていれば、磁気ヘッドによって磁気データを読み取る際や書き込む際のローラ対の振動を防止することが可能になる。その結果、本発明では、複数のローラ対がベルトおよびプーリ等の動力伝達機構を介して連結されていても、ローラ対の振動に起因する磁気データの読取り精度や書込み精度の低下を防止することが可能になる。
【００１１】
本発明において、たとえば、第１ローラ対は、２個の第２ローラを備え、第２ローラは、その外周面の径が一定になっている平ローラであり、カードの幅方向において、第１ローラの両側に第２ローラが配置されている。この場合には、第２ローラの構成を簡素化することが可能になる。また、本発明において、第２ローラには、その径方向の内側に窪む円環状の凹部が形成されるとともに、凹部の両側に２個のカード接触部が形成され、カードの幅方向において、第１ローラと略一致するように凹部が配置され、第１ローラの両側にカード接触部が配置されていても良い。
【００１２】
本発明において、カードリーダは、カードの磁気ストライプに記録された磁気データの読取りと磁気ストライプへの磁気データの書込みとの少なくともいずれか一方を行う磁気ヘッドを備え、カードの搬送方向における第１ローラ対と磁気ヘッドとの距離は、カード挿入口から挿入されるカードの挿入方向における磁気ストライプの前端とカードの挿入方向におけるカードの後端との距離よりも長くなっていることが好ましい。このように構成すると、磁気ヘッドによって磁気データを読み取る際や書き込む際に、第１ローラと第２ローラとの間からカードが確実に外れる。したがって、磁気ヘッドによって磁気データを読み取る際や書き込む際のローラ対の振動を確実に防止して、ローラ対の振動に起因する磁気データの読取り精度や書込み精度の低下を確実に防止することが可能になる。
【００１３】
本発明において、カードリーダは、第１ローラに突出部が形成されていることを検出するための検出機構を備えることが好ましい。このように構成すると、突出部を削る等、第１ローラに対して犯罪者が不正行為を行ったことを検出機構によって検出することが可能になる。あるいは、摩耗によって突出部がすり減って第１ローラ対で搬送されるカードの速度変動が起きにくくなっていることを検出機構によって検出することが可能になる。したがって、検出機構によって不正行為が検出された場合や突出部がすり減ってしまったことが検出された場合にカードリーダの取引を停止する等の所定の処置を行うことで、スキミング用磁気ヘッドによる磁気データの有意な読取りを効果的に阻止することが可能になる。
【００１４】
本発明において、検出機構は、たとえば、カードの幅方向で突出部を挟むように配置される発光素子と受光素子とを有する光学式のセンサである。
【発明の効果】
【００１５】
以上のように、本発明のカードリーダでは、スキミング用磁気ヘッドによる磁気データの有意な読取りを阻止することが可能になり、また、複数のローラ対がベルトおよびプーリ等の動力伝達機構を介して連結されていても、ローラ対の振動に起因する磁気データの読取り精度や書込み精度の低下を防止することが可能になる。
【図面の簡単な説明】
【００１６】
【図１】本発明の実施の形態にかかるカードリーダの概略構成を説明するための側面図である。
【図２】図１に示すカードリーダの概略構成を説明するための正面図である。
【図３】図１に示すカードリーダで処理されるカードの平面図である。
【図４】本発明の他の実施の形態にかかるカードリーダの概略構成を説明するための側面図である。
【図５】本発明の他の実施の形態にかかる第２ローラの側面図である。
【発明を実施するための形態】
【００１７】
以下、図面を参照しながら、本発明の実施の形態を説明する。
【００１８】
（カードリーダの概略構成）
図１は、本発明の実施の形態にかかるカードリーダ１の概略構成を説明するための側面図である。図２は、図１に示すカードリーダ１の概略構成を説明するための正面図である。図３は、図１に示すカードリーダ１で処理されるカード２の平面図である。
【００１９】
本形態のカードリーダ１は、カード２に記録された磁気データの読取りおよびカード２への磁気データの書込みの少なくともいずれか一方を行うための装置であり、たとえば、ＡＴＭ等の所定の上位装置に搭載されて使用される。このカードリーダ１は、カード２が挿入されるカード挿入口３が形成されるカード挿入部４と、カード２が搬送されるカード搬送路５が形成される本体部６とを備えている。カード挿入部４は、本体部６の前端面に取り付けられている。本体部６は、磁気データの読取りおよび磁気データの書込みの少なくともいずれか一方を行う２個の磁気ヘッド７、８と、カード挿入口３から挿入されたカード２を搬送するカード搬送機構９とを備えている。
【００２０】
本形態では、図１等に示すＸ方向でカード２が搬送される。具体的には、Ｘ１方向にカード２が挿入され、Ｘ２方向にカード２が排出される。すなわち、Ｘ方向は、カード２の搬送方向であり、Ｘ１方向は、カード２の挿入方向であり、Ｘ２方向は、カード２の排出方向である。また、Ｘ方向に略直交する図１等のＺ方向は、カード２の厚さ方向であり、Ｘ方向とＺ方向とに略直交する図１等のＹ方向は、カード２の幅方向（短手幅方向）である。なお、以下の説明では、Ｘ１方向側を「奥（後ろ）」側、Ｘ２方向側を「前」側、Ｙ１方向側を「右」側、Ｙ２方向側を「左」側、Ｚ１方向側を「上」側、Ｚ２方向側を「下」側とする。
【００２１】
カード２は、厚さが０．７〜０．８ｍｍ程度の矩形状の塩化ビニール製のカードである。このカード２は、国際規格やＪＩＳ規格（ＪＩＳＸ６３０２−２）に準拠するカードである。このカード２のおもて面（上面）には、磁気データが記録される磁気ストライプ２ａ（図３参照）が形成されている。また、カード２の裏面（下面）にも、磁気データが記録される磁気ストライプ（図示省略）が形成されている。なお、カード２には、ＩＣチップが内蔵されても良いし、通信用のアンテナが内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００２２】
磁気ヘッド７は、そのギャップ部がカード搬送路５に下側から臨むように配置されている。磁気ヘッド８は、そのギャップ部がカード搬送路５に上側から臨むように配置されている。磁気ヘッド７と磁気ヘッド８とは、そのギャップ部同士が上下方向で対向するように配置されている。また、磁気ヘッド７、８は、前後方向における本体部６の略中心に配置されている。
【００２３】
（カード搬送機構の構成）
カード搬送機構９は、カード２の厚さ方向でカード２を挟んで搬送する複数のローラ対１１〜１３と、複数のローラ対１１〜１３を駆動する駆動用モータ１４とを備えている。本形態のカード搬送機構９は、３組のローラ対１１〜１３を備えている。ローラ対１１〜１３は、本体部６の前端側から奥端側に向かってこの順番に配置されている。また、ローラ対１１〜１３は、互いに所定の距離をあけた状態で配置されている。具体的には、ローラ対１１は、本体部６の前端側に配置され、ローラ対１２は、前後方向における本体部６の略中心に配置され、ローラ対１３は、本体部６の後端側に配置されている。本形態では、カード挿入口３から挿入されたカード２は、最初にローラ対１１に接触する。本形態のローラ対１１は、第１ローラ対である。
【００２４】
ローラ対１２、１３は、駆動用モータ１４に連結される駆動ローラ１６と、駆動ローラ１６に対向配置されるパッドローラ１７とを備えている。駆動ローラ１６は、カード搬送路５に上側から臨むように配置されており、カード２の上面に接触する。パッドローラ１７は、駆動ローラ１６の下側で駆動ローラ１６に対向しており、カード２の下面に接触する。また、パッドローラ１７は、図示を省略する付勢部材によって駆動ローラ１６に向かって付勢されている。駆動ローラ１６およびパッドローラ１７は、その外周面の径が一定になっている平ローラである。駆動ローラ１６およびパッドローラ１７は、左右方向におけるカード搬送路５の略中心に配置されている。すなわち、ローラ対１２、１３は、左右方向におけるカード搬送路５の略中心に配置されている。
【００２５】
ローラ対１１は、駆動用モータ１４に連結される第１ローラとしての駆動ローラ２１と、第２ローラとしての２個の従動ローラ２２とを備えている。駆動ローラ２１は、カード搬送路５に上側から臨むように配置されており、カード２の上面に接触する。従動ローラ２２は、カード搬送路５に下側から臨むように配置されており、カード２の下面に接触する。駆動ローラ２１と２個の従動ローラ２２とは、前後方向において同じ位置に配置されている。
【００２６】
駆動ローラ２１には、その径方向の外側へ突出する複数の突出部２１ａが形成されている。本形態では、４個の突出部２１ａが駆動ローラ２１に形成されている。具体的には、駆動ローラ２１の回転中心を中心にして略９０°ピッチで４個の突出部２１ａが駆動ローラ２１に形成されている。突出部２１ａは、たとえば、四角錐台状に形成されている。また、突出部２１ａは、たとえば、左右方向における駆動ローラ２１の全域に形成されている。駆動ローラ２１は、本体部６のフレームに回転可能に支持される回転軸２３に固定されている。この駆動ローラ２１は、左右方向におけるカード搬送路５の略中心に配置されている。
【００２７】
従動ローラ２２は、駆動ローラ１６およびパッドローラ１７と同様に、その外周面の径が一定になっている平ローラである。この従動ローラ２２は、本体部６のフレームに固定される固定軸２４に回転可能に支持されている。また、２個の従動ローラ２２は、左右方向において、駆動ローラ２１の両側に配置されている。すなわち、一方の従動ローラ２２は、駆動ローラ２１よりも右側に配置され、他方の従動ローラ２２は、駆動ローラ２１よりも左側に配置されている。上述のように、従動ローラ２２は平ローラであり、従動ローラ２２の外周面は、カード２に接触するカード接触部２２ａとなっている。このように、本形態では、左右方向において、従動ローラ２２のカード接触部２２ａと、駆動ローラ２１の突出部２１ａとが左右方向において互いにずれた位置に配置されている。
【００２８】
図１、図２に示すように、従動ローラ２２は、その上端位置がカード搬送路５の上端側となるように配置されている。また、突出部２１ａを除く駆動ローラ２１の外周面が従動ローラ２２の上端よりも上側に配置され、かつ、突出部２１ａが２個の従動ローラ２２の間を通過する際に突出部２１ａの先端（駆動ローラ２１の径方向における外側端）が従動ローラ２２の上端よりも下側を通過するように、駆動ローラ２１が配置されている。すなわち、左右方向から見たときに、突出部２１ａを除く駆動ローラ２１の外周面が従動ローラ２２と重ならず、かつ、突出部２１ａが２個の従動ローラ２２の間を通過する際に突出部２１ａの先端側が従動ローラ２２と重なるように、駆動ローラ２１が配置されている。
【００２９】
ローラ対１３の駆動ローラ１６が固定される回転軸（図示省略）には、１個のプーリ２５が固定されている。ローラ対１２の駆動ローラ１６が固定される回転軸（図示省略）には、３個のプーリ２６が回転軸の軸方向で並ぶように固定されている。駆動ローラ２１の回転軸２３には、１個のプーリ２７が固定されている。駆動用モータ１４の出力軸には、プーリ２８が固定されている。３個のプーリ２６のうちの１個のプーリ２６とプーリ２８とには、ベルト２９が架け渡されている。残りの２個のプーリ２６のうちの１個のプーリ２６とプーリ２５とには、ベルト３０が架け渡されている。残りの１個のプーリ２６とプーリ２７との間には、ベルト３１が架け渡されている。駆動用モータ１４が回転すると、駆動ローラ１６、２１が回転する。
【００３０】
図１に示すように、磁気ヘッド７、８は、ローラ対１２の奥側に配置されている。左右方向におけるローラ対１１と磁気ヘッド７、８との距離Ｌ１は、カード搬送路５で搬送されるカード２の磁気ストライプ２ａの奥端（すなわち、カード２の挿入方向（Ｘ１方向）における磁気ストライプ２ａの前端）２ｂとカード搬送路５で搬送されるカード２の前端（すなわち、カード２の挿入方向（Ｘ１方向）におけるカード２の後端）２ｃとの距離Ｌ２（図３参照）よりも長くなっている。具体的には、距離Ｌ１は、カード搬送路５で搬送されるカード２の長さ（すなわち、カード２の長手方向の長さ）Ｌ３と同程度となっている。なお、左右方向におけるローラ対１１とカードリーダ１の前端との距離Ｌ４は、たとえば、カード２の長さの１／３〜１／４程度となっている。
【００３１】
以上のように構成されたカード搬送機構９では、カード挿入口３の近傍に配置されるセンサ（図示省略）によって、カード挿入口３にカード２が挿入されたことが検知されると、駆動用モータ１４が起動する。駆動用モータ１４が起動すると、駆動ローラ１６、２１が回転して、カード２が本体部６の中へ取り込まれる。
【００３２】
（本形態の主な効果）
以上説明したように、本形態では、カード挿入口３から挿入されたカード２が最初に接触するローラ対１１の駆動ローラ２１に径方向の外側へ突出する複数の突出部２１ａが形成されている。そのため、本形態では、カード挿入口３から挿入されローラ対１１によって搬送されるカード２の搬送速度が駆動ローラ２１の突出部２１ａの影響で変動する。また、カード挿入口３から挿入されローラ対１１によって搬送されるカード２は、駆動ローラ２１の突出部２１ａの影響で振動する。したがって、本形態では、カード挿入口３の前方に設置されるスキミング用磁気ヘッドによる磁気データの有意な読取りを阻止することが可能になる。
【００３３】
本形態では、従動ローラ２２は、左右方向における駆動ローラ２１の両側のそれぞれに配置されており、従動ローラ２２のカード接触部２２ａと駆動ローラ２１の突出部２１ａとが左右方向において互いにずれた位置に配置されている。そのため、本形態では、駆動ローラ２１と従動ローラ２２との間からカード２が抜けているときには、突出部２１ａと従動ローラ２２とが接触せず、駆動ローラ２１に振動が生じない。また、本形態では、左右方向におけるローラ対１１と磁気ヘッド７、８との距離Ｌ１は、磁気ストライプ２ａの奥端２ｂとカード２の前端２ｃとの距離Ｌ２よりも長くなっており、磁気ヘッド７、８による磁気データの読取り時や書込み時に、カード２は、駆動ローラ２１と従動ローラ２２との間から抜けている。したがって、本形態では、ローラ対１１〜１３がベルト２９〜３１およびプーリ２５〜２８を介して連結されていても、磁気ヘッド７、８によって磁気データを読み取る際や書き込む際のローラ対１１〜１３の振動を防止することができ、その結果、ローラ対１１〜１３の振動に起因する磁気データの読取り精度や書込み精度の低下を防止することが可能になる。
【００３４】
（第１ローラ対の配置位置の変形例）
図４は、本発明の実施の形態にかかるカードリーダ１の概略構成を説明するための側面図である。
【００３５】
上述した形態では、カード挿入口３から挿入されたカード２が最初に接触する第１ローラ対としてのローラ対１１が、本体部６の前端側に配置されている。この他にもたとえば、図４に示すように、カード挿入口３から挿入されたカード２が最初に接触する第１ローラ対としてのローラ対１１が、カード挿入部４に配置されても良い。この場合には、上述の駆動ローラ１６とパッドローラ１７とから構成されるローラ対４１が本体部６の前端側に配置される。また、ローラ対４１を構成する駆動ローラ１６の回転軸（図示省略）には、２個のプーリ４２が固定されるとともに、一方のプーリ４２とプーリ２６とにはベルト３１が架け渡され、他方のプーリ４２とプーリ２７とには、ベルト４３が架け渡される。
【００３６】
この場合には、カード挿入口３のより近い位置に駆動ローラ２１が配置されるため、カード挿入口３の前方に設置されるスキミング用磁気ヘッドによってカード２の磁気データの読取りが開始された直後からカード２の搬送速度を変動させることが可能になる。また、スキミング用磁気ヘッドによってカード２の磁気データの読取りが開始された直後からカード２を振動させることが可能になる。したがって、カード挿入口３の前方に設置されるスキミング用磁気ヘッドによる磁気データの有意な読取りを効果的に阻止することが可能になる。
【００３７】
一方で、この場合には、カード挿入口３のより近い位置に駆動ローラ２１が配置されるため、突出部２１ａを削る等の駆動ローラ２１に対する犯罪者の不正行為が行われやすくなる。したがって、この場合には、駆動ローラ２１に突出部２１ａが形成されていることを検出するための検出機構５０がカード挿入部４に設置されていることが好ましい。検出機構５０は、たとえば、左右方向で突出部２１ａを挟むように配置される発光素子と受光素子とを有する透過型の光学式センサ（図２の二点鎖線参照）や、突出部２１ａに向かって光を照射する発光素子と突出部２１ａで反射された光を受光する受光素子とを有する反射型の光学式センサである。
【００３８】
このように、検出機構５０がカード挿入部４に設置されていると、突出部２１ａを削る等の不正行為が行われたことを検出機構５０で検出することが可能になる。また、検出機構５０が設置されていると、摩耗によって突出部２１ａがすり減ってローラ対１１で搬送されるカード２の速度変動が起きにくくなっていることを検出機構５０で検出することが可能になる。したがって、検出機構５０によって不正行為が検出された場合や突出部２１ａがすり減ってしまったことが検出された場合にカードリーダ１の取引を停止する等の所定の処置を行うことで、スキミング用磁気ヘッドによる磁気データの有意な読取りを効果的に阻止することが可能になる。
【００３９】
なお、この場合には、磁気ヘッド７、８は、前後方向において、ローラ対１２と同じ位置に配置される。そのため、磁気ヘッド７、８によって磁気データを読み取っている最中や磁気データを書き込んでいる最中にローラ対１２からカード２が外れることがない。したがって、ローラ対１２からのカード２の外れに起因して磁気データの読取り精度や書込み精度が低下することはない。また、この場合には、前後方向におけるローラ対１１と磁気ヘッド７、８との距離Ｌ１は、上述した形態と同様に、磁気ストライプ２ａの奥端２ｂとカード２の前端２ｃとの距離Ｌ２よりも長くなっている。また、検出機構５０は、機械式のセンサ等の光学式センサ以外のセンサであっても良い。また、上述した形態において、本体部６の前端側に検出機構５０が設置されても良い。ただし、本体部６の前端側に駆動ローラ２１が配置される場合には、カード挿入口３から駆動ローラ２１までの距離が遠くなり、突出部２１ａを削る等の不正行為が行われにくくなるため、上述した形態のように、検出機構５０が設置されていなくても良い。また、図４では、上述した形態と同一の構成については同一の符号を付している。
【００４０】
（他の実施の形態）
上述した形態および変形例は、本発明の好適な形態の一例ではあるが、これに限定されるものではなく本発明の要旨を変更しない範囲において種々変形実施が可能である。
【００４１】
上述した形態では、ローラ対１１は、左右方向において駆動ローラ２１の両側に配置される２個の従動ローラ２２を備えている。この他にもたとえば、ローラ対１１は、駆動ローラ２１の右側または左側に配置される１個の従動ローラ２２のみを備えていても良い。また、ローラ対１１は、２個の従動ローラ２２に代えて、第２ローラとしての１個の従動ローラ５２を備えていても良い。この場合には、従動ローラ５２の軸方向における中心位置に、従動ローラ５２の径方向の内側へ窪む円環状の凹部５２ａが形成される。また、凹部５２ａの両側に外周面の径が一定となっている部分があり、この部分がカード２の下面に接触するカード接触部５２ｂとなっている。すなわち、凹部５２ａの両側のそれぞれに合計２個のカード接触部５２ｂが形成される。また、この場合には、左右方向において、駆動ローラ２１と略一致するように凹部５２ａが配置され、駆動ローラ２１の両側にカード接触部５２ｂが配置される。
【００４２】
上述した形態では、駆動ローラ２１が、カード搬送路５に上側から臨むように配置され、従動ローラ２２が、カード搬送路５に下側から臨むように配置されている。この他にもたとえば、駆動ローラ２１が、カード搬送路５に下側から臨むように配置され、従動ローラ２２が、カード搬送路５に上側から臨むように配置されても良い。また、上述した形態では、ローラ対１１は、１個の駆動ローラ２１と、左右方向において駆動ローラ２１の両側に配置される２個の従動ローラ２２とを備えているが、ローラ対１１は、１個の従動ローラ２２と、左右方向において従動ローラ２２の両側に配置される２個の駆動ローラ２１とを備えていても良い。
【００４３】
上述した形態では、駆動ローラ２１に突出部２１ａが形成され、従動ローラ２２は平ローラとなっているが、従動ローラ２２に突出部２１ａに相当する突出部が形成され、駆動ローラ２１が平ローラとなっていても良い。この場合には、従動ローラ２２が第１ローラとなり、駆動ローラ２１が第２ローラとなる。また、駆動ローラ２１に突出部２１ａが形成されるとともに、従動ローラ２２に突出部２１ａに相当する突出部が形成されても良い。また、上述した形態において、パッドローラ１７および従動ローラ２２がモータに連結されても良い。
【００４４】
上述した形態では、左右方向におけるローラ対１１と磁気ヘッド７、８との距離Ｌ１は、磁気ストライプ２ａの奥端２ｂとカード２の前端２ｃとの距離Ｌ２よりも長くなっている。この他にもたとえば、磁気データの読取り精度の低下や磁気データの書込み精度の低下が生じないのであれば、距離Ｌ１が長さＬ２と同じであっても良いし、距離Ｌ１が長さＬ２よりも若干、短くなっていても良い。また、上述した形態では、ローラ対１１〜１３は、ベルト２９〜３１およびプーリ２５〜２８を介して連結されているが、ローラ対１１〜１３は、歯車列を介して連結されても良い。
【符号の説明】
【００４５】
１  カードリーダ
２  カード
２ａ  磁気ストライプ
２ｂ  奥端（カードの挿入方向における磁気ストライプの前端）
２ｃ  前端（カードの挿入方向におけるカードの後端）
３  カード挿入口
７、８  磁気ヘッド
９  カード搬送機構
１１  ローラ対（第１ローラ対）
１２、１３、４１  ローラ対
２１  駆動ローラ（第１ローラ）
２１ａ  突出部
２２、５２  従動ローラ（第２ローラ）
２２ａ、５２ｂ  カード接触部
５０  検出機構
５２ａ  凹部
Ｘ  カードの搬送方向
Ｘ１  カードの挿入方向
Ｙ  カードの幅方向
Ｚ  カードの厚さ方向
【図１】
2014191747.tif 000003
【図２】
2014191747.tif 000004
【図３】
2014191747.tif 000005
【図４】
2014191747.tif 000006
【図５】
2014191747.tif 000007